(57)【要約】      （修正有）【課題】豊かな音量と統一感のある音色を得る事により、コントロールのしやすさが向上し演奏しやすくなるリガチャーを提供する。【解決手段】らせん状に巻いた銅線により適正な圧力でリードが固定出来、繊維質であるフェルトを全体に編み込む事によって振動吸収特性が向上し、豊かな音量と統一感のある音色が得られる。コントロールのしやすさが増し演奏しやすくなる。又、全てのリードで効果を得る事が出来る。【選択図】図３
0003156919.tif 000002
【実用新案登録請求の範囲】
【請求項１】
らせん状に成型された銅線と、前記銅線と直交するように前記銅線に編み込まれてなる帯状のフェルトを有することを特徴とする、木管シングルリード楽器のマウスピースにリードを固定するリガチャー。
【請求項２】
前記銅線は、径が１．６〜２．０ｍｍであることを特徴とする、請求項１に記載のリガチャー。
【請求項３】
前記らせん状に成型された銅線は、巻数３回以上であることを特徴とする、請求項１または請求項２に記載のリガチャー。
【請求項４】
前記帯状フェルトは、厚さが１．０〜２．０ｍｍ、幅が３．０〜７．０ｍｍであることを特徴とする、請求項１ないし請求項３のいずれかに記載のリガチャー。
【考案の詳細な説明】
【技術分野】
【０００１】  本考案は、木管シングルリード楽器のマウスピースにリードを固定するリガチャーに関するものである。
【背景技術】
【０００２】  マウスピースにリードを固定する圧力が楽器の音色と音量に大きな影響を及ぼす事は木管シングルリード楽器演奏者には広く知られている。【０００３】  又、そのリガチャーの材質が楽器の音色と音量に大きな影響を及ぼす事も木管シングルリード楽器演奏者には広く知られている。
【背景技術】
【０００４】  リードの固定は、主に、手動で取り付け又は締め付けネジを締め付ける事により口径を細くして固定する方法と、素材の弾力により固定するという方法が取られている。【０００５】  リガチャーの材質は金属、繊維、皮革（合成皮革）、木材、合成樹脂などが使用されている。手動で取り付け又は締め付けネジを締め付ける事により口径を細くしてリードを固定するリガチャーは複数の素材を使用している場合がある。素材の弾力によりリードを固定するリガチャーは単一素材または複数の金属素材を使用している場合がある。
【考案が解決しようとする課題】
【０００６】  手動で取り付け又は締め付けネジを締め付ける事により口径を細くしてリードを固定するリガチャーでは、適正な圧力でのリードの取り付けは技術を必要とする作業であり、特に初心者には困難である。
素材の弾力によりリードを固定するという方法では、適正な圧力でのリードの取り付けは初心者でも可能である。
【０００７】  しかし、素材の弾力によりリードを固定するリガチャーを使用し、適正な圧力でリードが固定されているにもかかわらず演奏者が意図する音量、音質が得られない場合がある。樹脂製の物では特定の音で音色、音量が変化する傾向があり、金属製の物では音色に余計な響きが加わってしまう傾向にある。この音質、音量の傾向は、リガチャーの材質が持つ振動吸収特性によって起こるものだと考えられる。素材の弾力によりリードを固定するリガチャーの材質は、ほとんどの場合単一素材である。複数の素材を使用する場合でも金属材料を数種使用しているのみである。この事がリガチャー全体の振動吸収特性に影響を及ぼしていると考えられる。
【課題を解決するための手段】
【０００８】  この課題を解決するための考案は、らせん状に成型された銅線と、前記銅線と直交するように前記銅線に編み込まれてなる帯状のフェルトを有することを特徴とする、木管楽器シングルリードマウスピースにリードを固定するリガチャーである。
【考案の効果】
【０００９】  らせん状に成型された銅線により適正な圧力でリード固定が出来、繊維質であるフェルトを全体に編み込む事によって振動吸収特性が向上し、豊かな音量と統一感のある音色が得られる。そのため楽器のコントロールのしやすさが向上し演奏がしやすくなる。全てのリードで効果を得る事が出来る。
【考案を実施するための最良の形態】
【００１０】  本考案に係るリガチャーは、図１、図２に示すようにらせん状の銅線の端部を除きほぼ全体を銅線が見えなくなるようにまんべんなく帯状フェルトを編み込む物とする。【００１１】  前記銅線は、直径１．６ｍｍ〜２．０ｍｍを使用する。銅線の径がこれ以下又はこれ以上の場合、適正な圧力でのリードの固定が難しくなる。リードを取り付ける圧力が銅線の弾力性に依存しているからである。不適正な圧力でのリードの固定は楽器の音量と音質に悪影響を及ぼす可能性がある。上記理由によりこの直径の銅線を使用する。【００１２】  前記銅線は、マウスピースにリードを取り付けた径に合わせ、らせん状に３回以上巻く形に成型する。寸法が小さく音量の小さな楽器では細い径の銅線を使用し少ない回数を、寸法が大きく音量の大きい楽器では太い径の銅線を使用しより多くの回数を巻く。
銅線を巻く回数は、リガチャーがリードを固定する部分の長さとリガチャーの重量に影響する。リードを固定する部分の長さは、適正な圧力でのリードの固定とリードの位置に影響を及ぼす。リガチャーの重量は振動吸収特性に影響を及ぼす。３回以下の巻数では、リガチャーがリードを固定する圧力が足らなくなり、楽器の音量と音質に悪影響を及ぼす可能性がある。又、リードを固定する圧力が足らないためリードが演奏中に適正位置からずれてしまう可能性があるために、銅線を３回以上巻くこととした。巻き回数の上限は実用上の問題からマウスピースのリード取り付け部の長さを超えないものとする。【００１３】  クラリネット、サクソフォンといった楽器の種類、マウスピースの材質と構造によって音量に関係するリードの振動量が違う。又、ソプラニーノ、ソプラノ、アルト、テノール、バリトン、バスといった発声音域によって、音域に関係する振動周波数帯域が違う。それぞれに対応する適正なリードを固定する圧力と、適正な振動吸収特性が必要になる。銅線の径と巻く回数の組み合わせによって、それぞれの楽器に適正なリガチャーを実現する。【００１４】  前記帯状フェルトは、厚さが１．０〜２．０ｍｍ、幅が３．０〜７．０ｍｍに切断された物を使用し、らせん状に成型された銅線にまんべんなく、図３に示すように銅線が直接リード及びマウスピースに接触する事が無いように、又、端部以外には銅線の露出が無いように編み込んでおくものとする。これは、金属製のリガチャーでは音色に余計な響きが加わってしまう、という現象を軽減するためである。この効果はフェルトの振動吸収特性によるものと考えられる。金属部分の露出量を変えて試したところ、金属部分の露出が少ないほどこの効果があることが判明した。【００１５】  銅線の露出が無いように前記帯状フェルトを編み込むためには、銅線と帯状フェルトが縦糸と横糸の関係になるようにし、銅線の円周方向にフェルトを圧縮しながら編み込むことが必要である。その際に最適な帯状フェルトの寸法が上記寸法である。【００１６】  金属製のリガチャーでは音色に余計な響きが加わってしまう、という現象を軽減するためには、フェルトをらせん状に成型された銅線全体に張り付けてしまうことで十分である。しかし、本考案のリガチャーでは、銅線の弾力により適正な圧力でリードを固定するために、銅線はある程度動かなくてはならない。フェルトを銅線に貼り付けてしまうと銅線の動きが制限されてしまう。これは銅線の弾力により適正な圧力でリードを固定するためには不利である。フェルトはその銅線に追従して動くことが必要となる。そのため銅線とフェルトは接着剤等で固定はせず、編み込むことが必要である。
【図面の簡単な説明】
【００１７】
【図１】  本考案リガチャーの斜視図である。
【図２】  本考案リガチャーをリードと共にマウスピースに取り付けた側面図である。
【図３】  本考案リガチャーをリードと共にマウスピースに取り付けた断面図である。但し、マウスピース内部断面は本考案に係る部分ではないため省略。
【符号の説明】
【００１８】１      マウスピース
２      リード
３      リガチャーのフェルト部分
４      リガチャーの銅線部分
【図１】
0003156919.tif 000003
【図２】
0003156919.tif 000004
【図３】
0003156919.tif 000005